(57)【要約】【課題】ラジエターの吸気口の前方に設けられたスクリーンに付着した植物の葉などを取り除くことができる作業車両を提供すること。【解決手段】トウモロコシ収穫機１（作業車両）は、スクリーン２３と、ラジエター２４と、スクリーン２３からラジエター２４の吸気口２４ａに向かう気流Ｓを発生させる冷却ファン２５と、スクリーン２３とラジエター２４との間で気流Ｓを部分的に遮る遮蔽板２７と、遮蔽板２７を、気流Ｓの流通方向と交差する方向に移動させる遮蔽板移動機構２８と、を有する。遮蔽板２７がスクリーン２３からラジエター２４に向かう気流を部分的に遮るので、スクリーン２３に付着したトウモロコシの葉１００をスクリーン２３から除去できる。【選択図】図５
2017095069.tif 000002
【特許請求の範囲】
【請求項１】
スクリーンと、
ラジエターと、
前記スクリーンから前記ラジエターの吸気口に向かう気流を発生させる冷却ファンと、
前記スクリーンと前記ラジエターとの間で前記気流を部分的に遮る遮蔽板と、
前記遮蔽板を、前記気流の流通方向と交差する方向に移動させる遮蔽板移動機構と、
を有すること特徴とする作業車両。
【請求項２】
請求項１において、
前記遮蔽板は、前記ラジエターよりも前記スクリーンに近い位置にあることを特徴とする作業車両。
【請求項３】
請求項１または２において、
ノズルと、
前記ノズルから空気を噴出させるブロアと、を有し、
前記ノズルは、前記遮蔽板に前記スクリーンの側に向かう空気吹き出し口を備えることを特徴とする作業車両。
【請求項４】
請求項３において、
前記ノズルは、前記遮蔽板に設けた中空部と、前記遮蔽板における前記スクリーンと対向する板部分に前記中空部に連通するように設けたスリットと、を備え、
前記中空部は、前記ブロアと連通し、
前記スリットの幅は、前記中空部の幅よりも狭く、
前記スリットは、前記ノズルの前記空気吹き出し口であることを特徴とする作業車両。
【請求項５】
請求項１ないし４のうちのいずれかの項において、
トウモロコシを刈り取って茎と果実を分離させる刈取り装置を有することを特徴とする作業車両。
【請求項６】
請求項５において、
前記遮蔽板を前記流通方向から見た場合の大きさは、トウモロコシの葉よりも大きいことを特徴とする作業車両。
【発明の詳細な説明】
【技術分野】
【０００１】
本発明は、収穫機、草刈機、および芝刈り機などの作業車両に関する。
【背景技術】
【０００２】
トウモロコシ収穫機は、例えば、特許文献１に記載されているように、エンジンを搭載する４輪の走行車体を有する。走行車体は、前側部分にトウモロコシを収穫する刈取り装置を備え、後側部分にバケットを備える。刈取り装置によって刈り取られて茎と果実が分離されたトウモロコシは刈取り装置とバケットの間に設けられたコンベアによって運ばれてバケットに貯留される。
【先行技術文献】
【特許文献】
【０００３】
【特許文献１】特開２０１４−２０９８８４号公報
【発明の概要】
【発明が解決しようとする課題】
【０００４】
エンジンを搭載する作業車両は、エンジンを冷却するための冷却機構を備える。冷却機構は、ラジエターと、ラジエターの吸気口に異物が吸入されることを防止するためのスクリーンと、スクリーンからラジエターの吸気口に向かう気流を発生させる冷却ファンを備える。ここで、作物の収穫時、草刈時、芝刈り時には、冷却ファンが発生させる気流によって植物の葉やゴミがスクリーンに付着することがある。葉やゴミがスクリーンに付着すると、ラジエターは吸気口から空気を十分に取り入れることができなくなる。従って、葉やゴミなどを除去しなければ、エンジンを十分に冷却することができなくなる。
【０００５】
本発明の課題は、このような点に鑑みて、ラジエターの吸気口の前方に設けられたスクリーンに付着した植物の葉などを除去できる作業車両を提供することにある。
【課題を解決するための手段】
【０００６】
上記の課題を解決するために、本発明の作業車両は、スクリーンと、ラジエターと、前記スクリーンから前記ラジエターの吸気口に向かう気流を発生させる冷却ファンと、前記スクリーンと前記ラジエターとの間で前記気流を部分的に遮る遮蔽板と、前記遮蔽板を、前記気流の流通方向と交差する方向に移動させる遮蔽板移動機構と、を有すること特徴とする。
【０００７】
本発明によれば、遮蔽板がスクリーンからラジエターに向かう気流を部分的に遮る。従って、気流が遮られる部分において、スクリーンに付着していた葉やゴミが脱落する。よって、スクリーンから葉やゴミを除去できる。また、遮蔽板の移動により気流が遮られる部分が移動するので、気流が遮られる部分が移動しない場合と比較して、スクリーンから葉やゴミが脱落しやすい。
【０００８】
本発明において、前記遮蔽板は、前記ラジエターよりも前記スクリーンに近い位置にあることが望ましい。このようにすれば、遮蔽板により、スクリーンを通過する気流を遮断できる。
【０００９】
本発明において、ノズルと、前記ノズルから空気を噴出させるブロアと、を有し、前記ノズルは、前記遮蔽板に前記スクリーンの側に向かう空気吹き出し口を備えることが望ましい。このようにすれば、ノズルの空気吹き出し口から噴出する空気によって、スクリー
ンに付着していた葉やゴミを吹き飛ばすことができる。
【００１０】
本発明において、前記ノズルは、前記遮蔽板に設けた中空部と、前記遮蔽板における前記スクリーンと対向する板部分に前記中空部に連通するように設けたスリットと、を備え、前記中空部は、前記ブロアと連通し、前記スリットの幅は、前記中空部の幅よりも狭く、前記スリットは、前記ノズルの前記空気吹き出し口とすることができる。このようにすれば、遮蔽板にノズルを設けることが容易である。また、中空部よりもスリット（空気吹き出し口）の幅を狭くすれば、空気吹き出し口から空気を勢いよく噴出できる。
【００１１】
本発明において、トウモロコシを刈り取って茎と果実を分離させる刈取り装置を有するものとすることができる。すなわち、作業車両はトウモロコシ収穫機とすることができる。ここで、トウモロコシ収穫機では、トウモロコシの葉がスクリーンに付着して、ラジエターが吸気口から空気を十分に取り入れることができなくなることがある。これに対して、遮蔽板がスクリーンからラジエターに向かう気流を部分的に遮れば、トウモロコシの葉をスクリーンから除去できる。
【００１２】
この場合において、前記遮蔽板を前記流通方向から見た場合の大きさは、トウモロコシの葉よりも大きいことが望ましい。このようにすれば、トウモロコシの葉をスクリーンから除去しやすい。
【発明の効果】
【００１３】
本発明では、遮蔽板によってスクリーンからラジエターに向かう気流を部分的に遮る。従って、気流が遮られる部分において、スクリーンに付着していた葉やゴミが脱落する。
【図面の簡単な説明】
【００１４】
【図１】本発明を適用したトウモロコシ収穫機の斜視図である。
【図２】エンジン搭載部の側面図である。
【図３】図２のＡ−Ａ線における縦断面図である。
【図４】遮蔽板、遮蔽板移動機構およびブロアの説明図である。
【図５】遮蔽板が回転する回転動作の説明図である。
【図６】変形例の遮蔽板の説明図である。
【図７】実施例２のトウモロコシ収穫機の冷却機構の説明図である。
【図８】遮蔽部材の斜視図である。
【発明を実施するための形態】
【００１５】
以下に、図面を参照して、本発明を適用した作業車両であるトウモロコシ収穫機を説明する。
【００１６】
［実施例１］
（全体構成）
図１は本発明を適用したトウモロコシ収穫機の斜視図である。図１（ａ）はトウモロコシ収穫機を前方の斜め上方から見た場合の斜視図であり、図１（ｂ）はトウモロコシ収穫機を後方の斜め上方から見た場合の斜視図である。図１に示すように、本例のトウモロコシ収穫機１は、４輪の走行車体２を有する。以下の説明では、トウモロコシ収穫機１（走行車体２）が直進する際の走行方向を前後方向Ｘ、地面に沿った方向で前後方向Ｘと直交する方向を幅方向Ｙ、前後方向Ｘおよび幅方向Ｙと直交する方向を上下方向Ｚとする。
【００１７】
走行車体２は前輪３よりも前方にトウモロコシを収穫する刈取り装置４を備える。また、走行車体２はその後端部分にバケット５を備える。刈取り装置４とバケット５の間にはコンベア６と皮剥き装置７が前方から後方に向かってこの順番に配置されている。皮剥き
装置７およびバケット５は後輪８の上方に位置する。トウモロコシは刈取り装置４によって茎ごと刈り取られる。そして、刈取り装置４によって茎と果実に分離される。その後、トウモロコシの果実はコンベア６によって後方に運ばれて皮剥き装置７に投入される。そして、トウモロコシの果実は、皮剥き装置７によって後方に搬送されながら、皮剥き装置７を通過する間に皮が剥かれた状態となる。皮が剥かれた状態の果実は、皮剥き装置７から後方に排出されてバケット５に投入される。
【００１８】
また、走行車体２は、刈取り装置４とバケット５の間に、操縦者が乗車するキャビン９と、エンジン１０を搭載するエンジン搭載部１１を備える。キャビン９は前輪３の上方に位置する。エンジン搭載部１１は前輪３と後輪８の間に位置する。エンジン搭載部１１はエンジン１０を冷却するためのラジエターなどを搭載する。さらに、走行車体２はバケット５の下方であって後輪８の後方にフレールモア１５を備える。フレールモア１５はハンマーナイフモアとも呼ばれるものであり、圃場に残った残稈を処理する。
【００１９】
ここで、エンジン搭載部１１には、油圧伝動装置（不図示）が搭載されている。油圧伝動装置は、エンジン１０により駆動される油圧ポンプ、油圧ポンプにより供給されるオイルにより駆動される油圧モーターを備える。本例のトウモロコシ収穫機１では、エンジン１０の駆動力は、油圧伝動装置を介して車輪３、８に伝達される。従って、トウモロコシ収穫機１は油圧モーターから出力される駆動力により走行する。また、本例のトウモロコシ収穫機１では、エンジン１０の駆動力は、油圧伝動装置を介して、刈取り装置４、コンベア６、皮剥き装置７、および、フレールモア１５に伝達される。従って、刈取り装置４、コンベア６、皮剥き装置７、および、フレールモア１５は、油圧モーターから出力される駆動力により駆動される。
【００２０】
（冷却機構）
図２はエンジン搭載部１１の側面図である。図３は図２のＡ−Ａ線でエンジン搭載部１１を切断した場合の縦断面図である。図２および図３に示すように、冷却機構１２は、エンジン搭載部１１の側板２１に形成された矩形のエンジン搭載部吸気口２２と、エンジン搭載部吸気口２２に取り付けられたスクリーン２３と、スクリーン２３の内側に配置されたラジエター２４と、冷却ファン２５（図３参照）を備える。本例では、エンジン搭載部吸気口２２の一辺の長さ寸法は１ｍ程度である。エンジン１０はラジエター２４よりも内側（スクリーン２３とは反対側）に搭載されている。
【００２１】
スクリーン２３はエンジン搭載部吸気口２２に嵌め込まれて上下方向Ｚおよび前後方向Ｘに広がる。スクリーン２３はパンチングメタルからなり、複数の吸気孔を備える。ラジエター２４は、その吸気口２４ａをスクリーン２３に向けて配置されている。冷却ファン２５はラジエター２４とエンジン１０の間に位置する。冷却ファン２５はスクリーン２３からラジエター２４の吸気口２４ａに向かう気流Ｓを発生させる。
【００２２】
ここで、スクリーン２３とラジエター２４の間には遮蔽板２７と、遮蔽板２７を冷却ファン２５が形成する気流Ｓの流通方向と交差する方向に回転させる遮蔽板移動機構２８と、ブロア２９が設置されている。
【００２３】
図４は遮蔽板２７、遮蔽板移動機構２８およびブロア２９の説明図である。図４（ａ）は遮蔽板２７、遮蔽板移動機構２８およびブロア２９を幅方向Ｙから見た場合の側面図である。図４（ｂ）は図４（ａ）のＢ−Ｂ線で遮蔽板２７、遮蔽板移動機構２８およびブロア２９を切断した縦断面図である。図４（ｃ）は図４（a）のＣ−Ｃ線で遮蔽板２７を切断した端面図である。
【００２４】
遮蔽板移動機構２８は、遮蔽板２７が接続される回転軸３１と、駆動モーター３２と、
駆動モーター３２の駆動力を回転軸３１に伝達する伝達機構３３を備える。伝達機構３３は駆動モーター３２の回転を減速させる減速機構３４と、減速機構３４からの出力を回転軸３１に伝達する無端ベルト３５を備える。回転軸３１は、エンジン搭載部吸気口２２の中央部分でスクリーン２３と直交する方向（幅方向Ｙ）に延びる。駆動モーター３２およびブロア２９は電動である。ブロア２９は回転軸３１よりもラジエター２４に近い側に配置されている。ブロア２９は幅方向Ｙから見た場合に回転軸３１と重なる。
【００２５】
遮蔽板２７は、幅方向Ｙにおいて、スクリーン２３と僅かなギャップを開けて対抗している。遮蔽板２７は、幅方向Ｙから見た場合の形状が長方形の矩形板部３７と、矩形板部３７の長手方向の一方の端部分に連続する長方形の接続部３８を備える。接続部３８は遮蔽板移動機構２８の回転軸３１に接続される。また、遮蔽板２７は、矩形板部３７における回転方向Ｒの後端縁部分から後方に広がる後側板部分３９を備える。後側板部分３９の外周縁は、矩形板部３７の他方の端縁部分３７ａ（接続部３８とは反対側の端縁）の延長線上を後方に延びる第１外周縁部分３９ａと、第１外周縁部分３９ａから回転方向Ｒの後方に向かって接続部３８の側に延びる第２外周縁部分３９ｂと、第２外周縁部分３９ｂの接続部３８の側の端から矩形板部３７の後端縁部分３７ｃと平行に延びる第３外周縁部分３９ｃと、第３外周縁部分３９ｃの接続部３８の側の端から矩形板部３７の側に向かって第１外周縁部分３９ａと平行に延びる第４外周縁部分３９ｄを備える。ここで、遮蔽板２７を幅方向Ｙから見た場合の面積は、トウモロシコの葉の面積よりも大きい。
【００２６】
また、遮蔽板２７はノズル４１を備える。図４（ｂ）、図４（ｃ）に示すように、ノズル４１は、遮蔽板２７において、端縁部分３７ａ、前端縁部分３７ｂおよび後端縁部分３７ｃにより囲まれた領域（矩形板部３７）に設けられた矩形の凹部４２である。凹部４２においてスクリーン２３と対峙する矩形の開口はノズル４１の空気吹き出し口４１ａである。ノズル４１は接続部３８に設けられた中空部４３および回転軸３１を貫通する空気流路４４を介してブロア２９と連通する。
【００２７】
駆動モーター３２およびブロア２９が駆動されると、遮蔽板２７は回転軸３１を中心として回転する。本例では、遮蔽板２７は毎分６回転する。これにより、遮蔽板２７は冷却ファン２５が形成する気流Ｓを部分的に遮蔽する。また、遮蔽板２７に設けたノズル４１の空気吹き出し口４１ａからはスクリーン２３に向かって空気が噴出される。ここで、遮蔽板２７はスクリーン２３と僅かなギャップを隔てて回転する。従って、遮蔽板２７によってスクリーン２３を通過する気流Ｓが遮断される。また、遮蔽板２７とスクリーン２３との間のギャップが僅かなので、ノズル４１の空気吹き出し口４１ａから噴出した空気は、スクリーン２３を通過して、遮蔽板２７とは反対側（外側）にまで達する。
【００２８】
（収穫動作）
図５はトウモロコシ収穫機１の収穫動作時における遮蔽板２７の回転動作の説明図である。トウモロコシの収穫を開始する際には、トウモロコシ収穫機１はエンジン１０を動作させる。エンジン１０の駆動力は、油圧伝動装置を介して、前輪３および後輪８に伝達される。これにより、トウモロコシ収穫機１は前進する。また、エンジン１０の駆動力は、油圧伝動装置を介して、刈取り装置４、コンベア６、皮剥き装置７およびフレールモア１５に伝達される。これにより、刈取り装置４、コンベア６、皮剥き装置７およびフレールモア１５が動作する。
【００２９】
また、トウモロコシ収穫機１は、収穫動作時に、冷却ファン２５、駆動モーター３２およびブロア２９を動作させる。冷却ファン２５が動作すると、エンジン搭載部吸気口２２を介してスクリーン２３からラジエター２４の吸気口２４ａに向かう気流Ｓが発生する。また、駆動モーター３２およびブロア２９が動作すると、図５に示すように、遮蔽板２７が回転するとともに、遮蔽板２７に設けたノズル４１の空気吹き出し口４１ａからスクリ
ーン２３に向かって空気が噴出される。
【００３０】
ここで、収穫動作時には、トウモロコシの葉１００やゴミなどが、冷却ファン２５が発生させる気流Ｓによってスクリーン２３に付着することがある。このような場合に、本例では、遮蔽板２７がスクリーン２３を通過する気流Ｓを部分的に遮る。従って、気流Ｓが遮られる部分において、スクリーン２３に付着していた葉１００やゴミが脱落する。よって、スクリーン２３から葉１００やゴミを除去できる。また、遮蔽板２７は回転軸３１を中心に回転するので、遮蔽板２７の移動によって気流Ｓが遮られる部分が移動する。従って、気流Ｓが遮られる部分が移動しない場合と比較して、スクリーン２３から葉１００やゴミが脱落しやすい。
【００３１】
また、本例では、遮蔽板２７に設けたノズル４１の空気吹き出し口４１ａからスクリーン２３に向かって空気が噴出される。従って、この空気により、スクリーン２３に付着していた葉１００やゴミが吹き飛ばされる。
【００３２】
さらに、本例では、遮蔽板２７を幅方向Ｙから見た場合の大きさは、トウモロコシの葉１００よりも大きい。従って、トウモロコシの葉１００をスクリーン２３から除去しやすい。
【００３３】
(変形例）
図６を参照して変形例の遮蔽板２７Ａを説明する。図６（ａ）は遮蔽板２７Ａ、遮蔽板移動機構２８およびブロア２９を幅方向Ｙから見た場合の側面図である。図６（ｂ）は図６（ａ）のＤ−Ｄ線で遮蔽板２７Ａ、遮蔽板移動機構２８およびブロア２９を切断した縦断面図である。図６（ｃ）は図６（a）のＥ−Ｅ線で遮蔽板２７Ａを切断した端面図である。なお、変形例の遮蔽板２７Ａは、上記の遮蔽板２７と対応する構成を備えるので、対応する部分には同一の符号を付して、その説明を省略する。
【００３４】
本例の遮蔽板２７Ａは、矩形板部３７の回転方向Ｒの前側に前側板部分４５を備える。前側板部分４５は、矩形板部３７における回転方向Ｒの前端縁部分３７ｂから前方に広がる。前側板部分４５の外周縁は、矩形板部３７の他方の端縁部分３７ａ（接続部３８とは反対側の端縁）の延長線上を前方に延びる第１外周縁部分４５ａと、第１外周縁部分４５ａから回転方向Ｒの前方に向かって接続部３８の側に延びる第２外周縁部分４５ｂと、第２外周縁部分４５ｂの接続部３８の側の端から矩形板部３７の前端縁部分３７ｂと平行に延びる第３外周縁部分４５ｃと、第３外周縁部分４５ｃの接続部３８の側の端から矩形板部３７の側に向かって第１外周縁部分４５ａと平行に延びる第４外周縁部分４５ｄを備える。後側板部分３９と前側板部分４５とは対応する形状をしている。
【００３５】
また、遮蔽板２７はノズル４１Ａを備える。図４（ｂ）、図４（ｃ）に示すように、ノズル４１Ａは、遮蔽板２７において、端縁部分３７ａ、前端縁部分３７ｂおよび後端縁部分３７ｃにより囲まれた領域（矩形板部３７）に設けられた矩形の凹部４２と、凹部４２においてスクリーン２３と対峙する矩形の開口を塞ぐ封鎖板４６を備える。凹部４２と封鎖板４６によって矩形板部３７には矩形板部側中空部４７が形成されている。また、封鎖板４６は、幅方向（回転方向Ｒ）の中央部分に、接続部３８とは反対側の端から接続部３８に向かって一定幅で直線状に延びるスリットを備える。スリットはノズル４１Ａの空気吹き出し口４１ａである。空気吹き出し口４１ａは、矩形板部側中空部４７、接続部３８の中空部４３、および、回転軸３１を貫通する空気流路４４を介してブロア２９と連通する。
【００３６】
ここで、空気吹き出し口４１ａの幅は矩形板部側中空部４７の幅よりも狭い。従って、ブロア２９が駆動された場合には、空気吹き出し口４１ａにおける接続部３８とは反対側
の端部分においても、空気吹き出し口４１ａにおける接続部３８に近い側の部分と同様に、空気が勢いよく噴出する。
【００３７】
なお、ノズル４１は、遮蔽板２７の矩形板部３７の前端縁部分３７ｂ、または、後端縁部分３７ｃに沿って直線的に設けてもよい。また、遮蔽板２７は、回転軸３１に接続される接続部３８の一方側にのみ矩形板部３７を備えるが、接続部３８の他方側にも矩形板部３７を備えてもよい。
【００３８】
また、上記の例では、遮蔽板移動機構２８は、遮蔽板２７をスクリーン２３の中心を回転中心として回転させているが、遮蔽板移動機構２８は、遮蔽板２７をスクリーン２３に沿って上下方向Ｚに移動させるものとすることもできる。また、遮蔽板移動機構２８は、遮蔽板２７をスクリーン２３に沿って前後方向Ｘに移動させるものでもよい。さらに、遮蔽板移動機構２８は、遮蔽板２７をスクリーン２３に沿って所定の角度範囲で搖動させてもよい。
【００３９】
［実施例２］
図７は、実施例２のトウモロコシ収穫機のエンジン搭載部１１を幅方向Ｙに切断した場合の縦断面図である。なお、本例のトウモロコシ収穫機１Ａは、冷却機構１２Ａの構成が上記のトウモロコシ収穫機１の冷却機構１２とは相違するが、他の構成は同一である。従って、冷却機構１２Ａを説明して他の構成の説明を省略する。
【００４０】
（冷却機構）
図７に示すように、本例のトウモロコシ収穫機１Ａの冷却機構１２Ａは、エンジン搭載部１１の側板２１に形成された矩形のエンジン搭載部吸気口２２と、エンジン搭載部吸気口２２を被うように取り付けられたスクリーン２３と、スクリーン２３の内側に配置されたラジエター２４と、冷却ファン２５を備える。スクリーン２３、ラジエター２４、冷却ファン２５およびエンジン１０は、幅方向Ｙにおいて、この順番に配置されている。冷却ファン２５はスクリーン２３からラジエター２４の吸気口２４ａに向かう気流Ｓを発生させる。
【００４１】
スクリーン２３とラジエター２４の間には、上下方向Ｚに配列された５つの遮蔽部材５１と、各遮蔽部材５１を前後方向Ｘに延びる軸線Ｌ１回りにそれぞれ回転させる遮蔽部材移動機構（遮蔽板移動機構）５２が配置されている。
【００４２】
図８は遮蔽部材５１の斜視図である。遮蔽部材５１は、矩形の枠体５５と回転軸５６を備える。枠体５５は、図８に示すように、枠体５５が開口する方向を幅方向Ｙに向けた姿勢において、厚さ方向を上下方向Ｚに向けて前後方向Ｘに平行に延びる一対の遮蔽板５８と、一対の遮蔽板５８の前端を接続する前側接続板５９と、一対の遮蔽板５８の後端を接続する後側接続板６０を備える。各遮蔽板５８、前側接続板５９、後側接続板６０は、それぞれ、一定厚さの矩形の板である。各遮蔽板５８の幅は、前側接続板５９および後側接続板６０の幅と比較して広い。回転軸５６は、前側接続板５９の上下方向Ｚの中央部分と後側接続板６０の上下方向Ｚの中央部分に取り付けられて前後方向Ｘに延びる。
【００４３】
遮蔽部材移動機構５２は、図７に示すように、駆動モーター６３と、駆動モーター６３の回転駆動力を各遮蔽部材５１の回転軸５６に伝達する駆動力伝達機構６４を備える。遮蔽部材移動機構５２は、駆動モーター６３が駆動されると各遮蔽部材５１をそれぞれの回転軸５６回りに回転させる。
【００４４】
ここで、各遮蔽部材５１が回転すると、枠体５５は、一方の遮蔽板５８が回転軸５６とスクリーン２３との間に位置し、他方の遮蔽板５８が回転軸５６を間に挟んでスクリーン
２３とは反対側に位置する姿勢、一対の遮蔽板５８が上下方向で平行となる姿勢、他方の遮蔽板５８が回転軸５６とスクリーン２３との間に位置し、一方の遮蔽板５８が回転軸５６を間に挟んでスクリーン２３とは反対側に位置する姿勢、一対の遮蔽板５８が上下方向で平行となる姿勢、の間で変位を繰り返す。
【００４５】
枠体５５が、一方の遮蔽板５８が回転軸５６とスクリーン２３との間に位置し、他方の遮蔽板５８が回転軸５６を間に挟んでスクリーン２３とは反対側に位置する姿勢となった状態では、一方の遮蔽板５８は、その厚さ方向をスクリーン２３と直交する方向に向け、狭いギャップを開けてスクリーン２３と対向する。同様に、枠体５５が、他方の遮蔽板５８が回転軸５６とスクリーン２３との間に位置し、一方の遮蔽板５８が回転軸５６を間に挟んでスクリーン２３とは反対側に位置する姿勢となった状態では、他方の遮蔽板５８は、その厚さ方向をスクリーン２３と直交する方向に向け、狭いギャップを開けてスクリーン２３と対向する。ここで、本例では、駆動モーター６３が駆動されたときに、上下方向で隣り合う２つの遮蔽部材５１は、回転軸５６回りの位相が、９０°ずれる。
【００４６】
（収穫動作）
トウモロコシの収穫を開始する際には、トウモロコシ収穫機１はエンジン１０を動作させる。エンジン１０の駆動力は、油圧伝動装置を介して、前輪３および後輪８に伝達される。これにより、トウモロコシ収穫機１は前進する。また、エンジン１０の駆動力は、油圧伝動装置を介して、刈取り装置４、コンベア６、皮剥き装置７およびフレールモア１５に伝達される。これにより、刈取り装置４、コンベア６、皮剥き装置７およびフレールモア１５が動作する。
【００４７】
また、トウモロコシ収穫機１は、収穫動作時に、冷却ファン２５、駆動モーター６３を動作させる。これにより、エンジン搭載部吸気口２２を介してスクリーン２３からラジエター２４の吸気口２４ａに向かう気流Ｓが発生する。また、図７に矢印で示すように、各遮蔽部材５１が回転する
【００４８】
ここで、トウモロコシの収穫時には、トウモロコシの葉１００やゴミなどが、冷却ファン２５が発生させる気流Ｓによってスクリーン２３に付着することがある。このような場合に、本例では、遮蔽部材５１の遮蔽板５８がスクリーン２３に接近した位置でスクリーン２３と対向すると、遮蔽板５８がスクリーン２３を通過する気流Ｓを部分的に遮る。従って、気流Ｓが遮られる部分において、スクリーン２３に付着していた葉１００やゴミが脱落する。よって、スクリーン２３から葉１００やゴミを除去できる。また、遮蔽板２７は回転軸３１を中心に回転するので、遮蔽板５８の移動によって気流Ｓが遮られる部分が移動する。従って、気流Ｓが遮られる部分が移動しない場合と比較して、スクリーン２３から葉１００やゴミが脱落しやすい。
【符号の説明】
【００４９】
１・１Ａ・・・トウモコロシ収穫機（作業車両）
４・・・刈取り装置
２３・・・スクリーン
２４・・・ラジエター
２４ａ・・・ラジエターの吸気口
２５・・・冷却ファン
２７・２７Ａ・・・遮蔽板
２８・・・遮蔽板移動機構
２９・・・ブロア
４１・４１Ａ・・・ノズル
４１ａ・・・空気吹き出し口（スリット）
４３・・・中空部
４７・・・矩形板部側中空部
５２・・・遮蔽部材移動機構（遮蔽板移動機構）
５８・・・遮蔽板
１００・・・トウモロコシの葉
Ｓ・・・気流
【図１】
2017095069.tif 000003
【図２】
2017095069.tif 000004
【図３】
2017095069.tif 000005
【図４】
2017095069.tif 000006
【図５】
2017095069.tif 000007
【図６】
2017095069.tif 000008
【図７】
2017095069.tif 000009
【図８】
2017095069.tif 000010